(57)【要約】【課題】本発明は、有機電界発光表示装置を提供する。【解決手段】本発明の有機電界発光表示装置は、第１基板の一面に位置するサブピクセルと、第１基板と合着密封された第２基板と、サブピクセルと見合わせない面である第２基板の他面に形成されて低電位電圧源に接続されたシールド電極と、シールド電極上に形成されるタッチスクリーンパネルと、第１基板の一面に附着してサブピクセルを駆動する駆動信号を駆動装置から伝達する第１印刷回路基板と、第２基板の他面に附着してタッチスクリーンパネルから生成された感知信号を外部装置に伝達する第２印刷回路基板を含む。【選択図】図１０
2010282171.tif 000002
【特許請求の範囲】
【請求項１】
第１基板の一面に位置するサブピクセルと、
前記第１基板と合着密封された第２基板と、
前記サブピクセルと見合わせない面である前記第２基板の一面に形成されて低電位電圧源に接続されたシールド電極と、
前記シールド電極上に形成されるタッチスクリーンパネルと、
前記第１基板の一面に附着して前記サブピクセルを駆動する駆動信号を駆動装置から伝達する第１印刷回路基板と、
前記第２基板の一面に附着して前記タッチスクリーンパネルから生成された感知信号を外部装置に伝達する第２印刷回路基板を含む有機電界発光表示装置。
【請求項２】
前記第１基板は前記第１印刷回路基板が附着した方向に拡張された第１パッド領域を含み前記第２基板は前記第２印刷回路基板が附着した方向に拡張された第２パッド領域を含み、
前記第１パッド領域と前記第２パッド領域はそれぞれ一側と他側に位置することを特徴とする、請求項１記載の有機電界発光表示装置。
【請求項３】
前記タッチスクリーンパネルは、
一つの透明電極を含む単一層構造または二つの透明電極を含む多重層構造であることを特徴とする、請求項１記載の有機電界発光表示装置。
【請求項４】
前記タッチスクリーンパネル上に位置する偏光板と前記偏光板上に位置するカバーウィンドウをさらに含み前記偏光板と前記カバーウィンドウはこれらの間に空気層が位置するように外郭に位置する粘着剤によって合着されたことを特徴とする、請求項１記載の有機電界発光表示装置。
【請求項５】
第１基板の一面に位置するサブピクセルと、
前記第１基板と合着密封された第２基板と、
前記サブピクセルが位置しない面である前記第１基板の一面に形成されて低電位電圧源に接続されたシールド電極と、
前記シールド電極上に形成されるタッチスクリーンパネルと、
前記第１基板の他面に附着して前記サブピクセルを駆動する駆動信号を駆動装置から伝達する第１印刷回路基板と、
前記第１基板の一面に附着して前記タッチスクリーンパネルから生成された感知信号を外部装置に伝達する第２印刷回路基板を含む有機電界発光表示装置。
【請求項６】
前記第１基板は前記第１及び第２印刷回路基板が附着した方向に拡張された第１パッド領域を含む、請求項５記載の有機電界発光表示装置。
【請求項７】
前記第１基板は前記第１パッド領域が含まれた分前記第２基板の長さより長いことを特徴とする、請求項６記載の有機電界発光表示装置。
【請求項８】
前記タッチスクリーンパネルは、
一つの透明電極を含む単一層構造または二つの透明電極を含む多重層構造であることを特徴とする、請求項５記載の有機電界発光表示装置。
【請求項９】
前記タッチスクリーンパネル上に位置する偏光板と前記偏光板上に位置するカバーウィンドウをさらに含み前記偏光板と前記カバーウィンドウはこれらの間に空気層が位置するように外郭に位置する粘着剤によって合着されたことを特徴とする、請求項５記載の有機電界発光表示装置。
【請求項１０】
第１基板の一面に位置するサブピクセルと、
前記第１基板と合着密封された第２基板と、
前記サブピクセルと見合わせる面である前記第２基板の一面に形成されて低電位電圧源に接続されたシールド電極と、
前記サブピクセルと見合わせない面である前記第２基板の他面に形成されるタッチスクリーンパネルと、
前記第１基板の一面に附着して前記サブピクセルを駆動する駆動信号を駆動装置から伝達する第１印刷回路基板と、
前記第１基板の他面に附着して前記タッチスクリーンパネルから生成された感知信号を外部装置に伝達する第２印刷回路基板を含む有機電界発光表示装置。
【請求項１１】
前記第１基板は前記第１印刷回路基板が附着した方向に拡張された第１パッド領域と前記第２印刷回路基板が附着した方向に拡張された第２パッド領域を含み前記第１パッド領域と前記第２パッド領域はそれぞれ一側と他側に位置することを特徴とする、請求項１０記載の有機電界発光表示装置。
【請求項１２】
前記第１基板は前記第１及び第２パッド領域が含まれた分前記第２基板の長さより長いことを特徴とする、請求項１１記載の有機電界発光表示装置。
【請求項１３】
前記タッチスクリーンパネルは、
一つの透明電極を含む単一層構造または二つの透明電極を含む多重層構造であることを特徴とする、請求項１０記載の有機電界発光表示装置。
【請求項１４】
前記タッチスクリーンパネル上に位置する偏光板と前記偏光板上に位置するカバーウィンドウをさらに含み前記偏光板と前記カバーウィンドウはこれらの間に空気層が位置するように外郭に位置する粘着剤によって合着されたことを特徴とする、請求項１０記載の有機電界発光表示装置。
【発明の詳細な説明】
【技術分野】
【０００１】
本発明は有機電界発光表示装置に関する。
【背景技術】
【０００２】
有機電界発光表示装置に使われる有機電界発光素子は基板上に位置する二つの電極の間に発光層が形成された自発光素子である。また、有機電界発光表示装置は光が放出される方向によって前面発光（Ｔｏｐ−Ｅｍｉｓｓｉｏｎ）方式、背面発光（Ｂｏｔｔｏｍ−Ｅｍｉｓｓｉｏｎ）方式または両面発光（Ｄｕａｌ−Ｅｍｉｓｓｉｏｎ）方式などがある。そして、駆動方式に従って受動マトリックス型（Ｐａｓｓｉｖｅ Ｍａｔｒｉｘ）と能動マトリックス型（Ａｃｔｉｖｅ Ｍａｔｒｉｘ）などで分けられている。
【０００３】
有機電界発光表示装置に配置されたサブピクセルはスイッチングトランジスター、駆動トランジスター及びキャパシターを含むトランジスター部とトランジスター部に含まれた駆動トランジスターに接続された下部電極、有機発光層及び上部電極を含む有機発光ダイオードを含む。
【０００４】
有機電界発光表示装置はマトリックス形態に配置された復数のサブピクセルにスキャン信号、データ信号及び電源などが供給されれば、選択されたサブピクセルが発光をすることで映像を表示することができる。これは薄型表示装置で具現することができるという利点があり、最近では有機電界発光表示装置のような薄型表示装置にタッチスクリーン機能を付加させるため研究が多く進行されている。
【発明の概要】
【発明が解決しようとする課題】
【０００５】
本発明の目的とするところは、外部または内部ノイズに強い抵抗力を有するタッチスクリーンパネル一体型有機電界発光表示装置を具現することと共にこれを多様なアプリケーションに切り継ぎするようにモジュール化することにある。
【課題を解決するための手段】
【０００６】
前記課題を解決するために、本発明は、第１基板の一面に位置するサブピクセルと、第１基板と合着密封された第２基板と、サブピクセルと見合わせない面である第２基板の他面に形成されて低電位電圧源に接続されたシールド電極と、シールド電極上に形成されるタッチスクリーンパネルと、第１基板の一面に附着してサブピクセルを駆動する駆動信号を駆動装置から伝達する第１印刷回路基板と、第２基板の他面に附着してタッチスクリーンパネルから生成された感知信号を外部装置に伝達する第２印刷回路基板を含む有機電界発光表示装置を提供する。
【０００７】
また本発明の実施形態は、第１基板の一面に位置するサブピクセルと第１基板と合着密封された第２基板とサブピクセルが位置しない面である第１基板の他面に形成されて低電位電圧源に接続されたシールド電極とシールド電極上に形成されるタッチスクリーンパネルと第１基板の一面に附着してサブピクセルを駆動する駆動装置から駆動信号を伝達する第１印刷回路基板と、第１基板の他面に附着してタッチスクリーンパネルから生成された感知信号を外部装置に伝達する第２印刷回路基板を含む有機電界発光表示装置を提供する。
【０００８】
また本発明の実施形態は、第１基板の一面に位置するサブピクセルと第１基板と合着密封された第２基板とサブピクセルと見合わせる面である第２基板の一面に形成されて低電位電圧源に接続されたシールド電極とサブピクセルと見合わせない面である第２基板の他面に形成されるタッチスクリーンパネルと第１基板の一面に附着してサブピクセルを駆動する駆動信号を駆動装置から伝達する第１印刷回路基板と、第１基板の他面に附着してタッチスクリーンパネルから生成された感知信号を外部装置に伝達する第２印刷回路基板を含む有機電界発光表示装置を提供する。
【発明の効果】
【０００９】
以上説明したように本発明によれば、パネル上に低電位電圧源に接続されたシールド電極を形成してシールド電極上にタッチスクリーンパネルを形成して外部または内部ノイズに強い抵抗力を有するタッチスクリーンパネル一体型有機電界発光表示装置を具現することと共にこれを多様なアプリケーションに切り継ぎするようにモジュール化することができる効果がある。
【図面の簡単な説明】
【００１０】
【図１】本発明の第１実施形態に係る表示装置の概略的なブロック図である。
【図２】サブピクセルの断面図である。
【図３】図２に示された有機発光層の断面図である。
【図４】キャパシティブタイプの感知部の構成と単一層の電極部の構造を概略的に説明するための図である。
【図５】キャパシティブタイプの感知部の構成と単一層の電極部の構造を概略的に説明するための図である。
【図６】キャパシティブタイプの感知部の構成と単一層の電極部の構造を概略的に説明するための図である。
【図７】キャパシティブタイプ感知部の構成と多重層の電極部の構造を概略的に説明するための図である。
【図８】キャパシティブタイプ感知部の構成と多重層の電極部の構造を概略的に説明するための図である。
【図９】キャパシティブタイプ感知部の構成と多重層の電極部の構造を概略的に説明するための図である。
【図１０】本発明の第１実施形態に係るキャパシティブタイプのタッチスクリーンパネルを有する有機電界発光表示装置の概略的な構造図である。
【図１１】本発明の第１実施形態に係るキャパシティブタイプのタッチスクリーンパネルを有する有機電界発光表示装置の概略的な構造図である。
【図１２】本発明の第１実施形態に係るキャパシティブタイプのタッチスクリーンパネルを有する有機電界発光表示装置の概略的な構造図である。
【図１３】本発明の第２実施形態に係るキャパシティブタイプのタッチスクリーンパネルを有する有機電界発光表示装置の概略的な構造図である。
【図１４】本発明の第２実施形態に係るキャパシティブタイプのタッチスクリーンパネルを有する有機電界発光表示装置の概略的な構造図である。
【図１５】本発明の第３実施形態に係るキャパシティブタイプのタッチスクリーンパネルを有する有機電界発光表示装置の概略的な構造図である。
【図１６】本発明の第３実施形態に係るキャパシティブタイプのタッチスクリーンパネルを有する有機電界発光表示装置の概略的な構造図である。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
<第１実施形態>
図１を参照すれば表示装置はパネル（ＰＮＬ）、タッチスクリーンパネル（ＴＰＮＬ）、スキャン駆動部（ＳＤＲＶ）、データ駆動部（ＤＤＲＶ）及び感知部（ＴＳＣ）を含む。
【００１３】
パネル（ＰＮＬ）はサブピクセル（ＳＰ）を含む有機電界発光表示パネルである。しかし、パネル（ＰＮＬ）は液晶表示パネル、プラズマディスプレーパネルなどのような平板表示装置（Ｆｌａｔ Ｐａｎｅｌ Ｄｉｓｐｌａｙ: ＦＰＤ）で構成されることもできる。
サブピクセル（ＳＰ）はスキャン信号によって駆動するスイッチングトランジスター、データ信号をデータ電圧で貯蔵するキャパシター、キャパシターに貯蔵されたデータ電圧によって駆動する駆動トランジスター及び駆動トランジスターの駆動によって発光する有機発光ダイオードを含む。サブピクセルはスキャン駆動部及びデータ駆動部からスキャン信号及びデータ信号が供給されれば、発光するようになってパネルはここに相応する映像を表現することができるようになる。スキャン駆動部（ＳＤＲＶ）はサブピクセル（ＳＰ）にスキャン信号を供給するようにスキャン配線（ＳＬ１．．ＳＬｍ）を通じてサブピクセル（ＳＰ）に接続される。データ駆動部（ＤＤＲＶ）はサブピクセル（ＳＰ）にデータ信号を供給するようにデータ配線（ＤＬ１．．ＤＬｎ）を通じてサブピクセル（ＳＰ）に接続される。タッチスクリーンパネル（ＴＰＮＬ）は使用者のタッチによってタッチされた位置情報を感知信号で生成できるように電極部を含む。感知部（ＴＳＣ）は電極部に接続されて使用者がタッチスクリーンパネル（ＴＰＮＬ）をタッチすれば電極部を通じてタッチされた位置を感知する。感知部（ＴＳＣ）はタッチスクリーンパネル（ＴＰＮＬ）に形成された電極部の構造によって静電容量の変化(誘電率による静電容量の変化)を利用したキャパシティブ(静電容量)タイプと抵抗の変化を利用したレジスティブタイプなどで構成される。実施形態ではタッチスクリーンパネル（ＴＰＮＬ）がキャパシティブタイプに駆動されることを一例で説明する。
【００１４】
以下、パネル（ＰＮＬ）に形成されたサブピクセル（ＳＰ）に対して説明する。
【００１５】
図２に示されたのように、第１基板１１０ａの一面にはゲート１１１が位置する。ゲート１１１はモリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）からなる群で選択された何れか一つまたはこれらの合金からなることができる。また、ゲート１１１はモリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）からなる群で選択された何れか一つまたはこれらの合金からなる多重層であることができる。また、ゲート１１１はモリブデン/アルミニウム-ネオジムまたはモリブデン/アルミニウムの２重層であることができる。ゲート１１１上には第１絶縁膜１１２が位置する。第１絶縁膜１１２はシリコン酸化膜（ＳｉＯｘ）、シリコン窒化膜（ＳｉＮｘ）またはこれらの多重層であることができるがこれに限定されない。第１絶縁膜１１２上にはアクティブ層１１３ａが位置する。アクティブ層１１３ａは非晶質シリコンまたはこれを結晶化した多結晶シリコンを含むことができる。アクティブ層１１３ａはソース領域、チャンネル領域及びドレーン領域を含むことができる。共に、アクティブ層１１３ａ上にはオミックコンタクト層１１３ｂが位置することもできる。オミックコンタクト層１１３ｂ上にはソース領域及びドレーン領域にそれぞれ接続されるソース１１４ａ及びドレーン１１４ｂが位置する。ソース１１４ａ及びドレーン１１４ｂは単一層または多重層からなることができる。ソース１１４ａ及びドレーン１１４ｂが単一層の場合、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）からなる群で選択された何れか一つまたはこれらの合金からなることができる。これと異なり、ソース１１４ａ及びドレーン１１４ｂが多重層の場合、モリブデン/アルミニウム-ネオジムの２重層、モリブデン/アルミニウム/モリブデンまたはモリブデン/アルミニウム-ネオジム/モリブデンの３重層からなることができる。ソース１１４ａ及びドレーン１１４ｂ上には第２絶縁膜１１５が位置する。第２絶縁膜１１５はシリコン酸化膜（ＳｉＯｘ）、シリコン窒化膜（ＳｉＮｘ） またはこれらの多重層であることができるがこれに限定されない。第２絶縁膜１１５上にはシールド（ｓｈｉｅｌｄ）金属が位置することができる。シールド金属１１６はソース１１４ａまたはドレーン１１４ｂに接続されることができるし、外部干渉からトランジスターを保護する役目ができる。第２絶縁膜１１５上には第３絶縁膜１１７が位置する。第３絶縁膜１１７はシリコン酸化膜（ＳｉＯｘ）、シリコン窒化膜（ＳｉＮｘ）またはこれらの多重層であることができるがこれに限定されない。第３絶縁膜１１７上にはソース１１４ａまたはドレーン１１４ｂに接続された下部電極１１８が位置する。下部電極１１８はカソードまたはアノードに選択されることができる。下部電極１１８がカソードに選択された場合、カソードの材料ではアルミニウム（Ａｌ）、アルミニウム合金（Ａｌ ａｌｌｏｙ）、アルミニウムネオジム（Ａｌｕｍｉｎｉｎｕｍ Ｎｅｏｄｙ��ｉｕｍ、ＡｌＮｄ）の内いずれかの一つに形成されることができるがこれに限定されない。また、下部電極１１８がカソードに選択された場合、カソードの材料では反射度が高い材料で形成するのが有利である。 下部電極１１８上には下部電極１１８の一部を露出する開口部を有するバンク層１２０が位置する。バンク層１２０はベンゾサイクロブテン（ｂｅｎｚｏｃｙｃｌｏｂｕｔｅｎｅ、ＢＣＢ）系樹脂、アクリル系樹脂またはポリイミド樹脂などの有機物を含むことができるがこれに限定されない。下部電極１１８上には有機発光層１２１が位置する。有機発光層１２１は図３に示されたのように電子注入層１２１ａ、電子輸送層１２１ｂ、発光層１２１ｃ、正孔輸送層１２１ｄ及び正孔注入層１２１ｅを含むことができる。電子注入層１２１ａは電子の注入をなだらかにさせる役目をして、Ａｌｑ３（ｔｒｉｓ（８−ｈｙｄｒｏｘｙｑｕｉｎｏｌｉｎｏ）ａｌｕｍｉｎｕｍ）、ＰＢＤ、ＴＡＺ、ｓｐｉｒｏ−ＰＢＤ、ＢＡｌｑまたはＳＡｌｑを使うことができるがこれに限定されない。電子輸送層１２１ｂは電子の輸送をなだらかにさせる役目をして、Ａｌｑ３（ｔｒｉｓ（８−ｈｙｄｒｏｘｙｑｕｉｎｏｌｉｎｏ）ａｌｕｍｉｎｕｍ）、ＰＢＤ、ＴＡＺ、ｓｐｉｒｏ−ＰＢＤ、ＢＡｌｑ及びＳＡｌｑからなる群で選択された何れか一つ以上に成ることができるがこれに限定されない。発光層１２１ｃは赤色、 緑色、青色及び白色を発光する物質を含むことができるし、燐光または蛍光物質を利用して形成することができる。発光層１２１ｃが赤色を発光する場合、ＣＢＰ（ｃａｒｂａｚｏｌｅ ｂｉｐｈｅｎｙｌ）またはｍＣＰ（１、３−ｂｉｓ（ｃａｒｂａｚｏｌ−９−ｙｌ）を含むホスト物質を含み、ＰＩＱＩｒ（ａｃａｃ）（ｂｉｓ（１−ｐｈｅｎｙｌｉｓｏｑｕｉｎｏｌｉｎｅ）ａｃｅｔｙｌａｃｅｔｏｎａｔｅ ｉｒｉｄｉｕｍ）、ＰＱＩｒ（ａｃａｃ）（ｂｉｓ（１−ｐｈｅｎｙｌｑｕｉｎｏｌｉｎｅ）ａｃｅｔｙｌａｃｅｔｏｎａｔｅ ｉｒｉｄｉｕｍ）、ＰＱＩｒ（ｔｒｉｓ（１−ｐｈｅｎｙｌｑｕｉｎｏｌｉｎｅ）ｉｒｉｄｉｕｍ）及びＰｔＯＥＰ（ｏｃｔａｅｔｈｙｌｐｏｒｐｈｙｒｉｎ ｐｌａｔｉｎｕｍ）からなる群で選択された何れか一つ以上を含むドーパントを含む燐光物質からなることができるし、これとは異なりＰＢＤ:Ｅｕ（ＤＢＭ）３（Ｐｈｅｎ）またはＰｅｒｙｌｅｎｅを含む蛍光物質からなることができるがこれに限定されない。発光層１２１ｃが緑色を発光する場合、ＣＢＰまたはｍＣＰを含むホスト物質を含み、Ｉｒ（ｐｐｙ）３（ｆａｃ ｔｒｉｓ（２−ｐｈｅｎｙｌｐｙｒｉｄｉｎｅ）ｉｒｉｄｉｕｍ）を含むドーパント物質を含む燐光物質からなることができるし、これとは異なり、Ａｌｑ３（ｔｒｉｓ（８−ｈｙｄｒｏｘｙｑｕｉｎｏｌｉｎｏ）ａｌｕｍｉｎｕｍ）を含む蛍光物質からなることができるがこれに限定されない。発光層１２１ｃが青色を発光する場合、ＣＢＰまたはＭＣＰを含むホスト物質を含み、（４、６−Ｆ２ｐｐｙ）２Ｉｒｐｉｃを含むドーパント物質を含む燐光物質からなることができる。これとは異なり、ｓｐｉｒｏ−ＤＰＶＢｉ、ｓｐｉｒｏ−６Ｐ、ジスチリルーベンゼン（ｄｉｓｔｙｒｙｌ−ｂｅｎｚｅｎｅ、ＤＳＢ）、 ジスチリルーアリ��レン(ｄｉｓｔｙｒｙｌ−ａｒｙｌｅｎｅ、ＤＳＡ）、ＰＦＯ系高分子及びＰＰＶ系高分子からなる群で選択された何れかの一つを含む蛍光物質からなることができるがこれに限定されない。正孔輸送層１２１ｄは正孔の輸送をなだらかにさせる役目をし、ＮＰＤ（Ｎ、Ｎ−ｄｉｎａｐｈｔｈｙｌ−Ｎ、Ｎ‘−ｄｉｐｈｅｎｙｌ ｂｅｎｚｉｄｉｎｅ）、ＴＰＤ（Ｎ、Ｎ’−ｂｉｓ−（３−ｍｅｔｈｙｌｐｈｅｎｙｌ）−Ｎ、Ｎ‘−ｂｉｓ−（ｐｈｅｎｙｌ）−ｂｅｎｚｉｄｉｎｅ）、ｓ−ＴＡＤ及びＭＴＤＡＴＡ（４、４’、４“−Ｔｒｉｓ（Ｎ−３−ｍｅｔｈｙｌｐｈｅｎｙｌ−Ｎ−ｐｈｅｎｙｌ−ａｍｉｎｏ）−ｔｒｉｐｈｅｎｙｌａｍｉｎｅ）からなる群で選択された何れか一つ以上に成ることができるがこれに限定されない。正孔注入層１２１ｅは正孔の注入をなだらかにさせる役目ができ、ＣｕＰｃ（ｃｕｐｐｅｒ ｐｈｔｈａｌｏｃｙａｎｉｎｅ）、ＰＥＤＯＴ（ｐｏｌｙ（３、４）−ｅｔｈｙｌｅｎｅｄｉｏｘｙｔｈｉｏｐｈｅｎｅ）、ＰＡＮＩ（ｐｏｌｙａｎｉｌｉｎｅ）及びＮＰＤ（Ｎ、Ｎ−ｄｉｎａｐｈｔｈｙｌ−Ｎ、Ｎ‘−ｄｉｐｈｅｎｙｌ ｂｅｎｚｉｄｉｎｅ）からなる群で選択された何れか一つ以上に成ることができるがこれに限定されない。ここで、本発明は図３に限定されるのではなくて、電子注入層１２１ａ、電子輸送層１２１ｂ、正孔輸送層１２１ｄ及び正孔注入層１２１ｅの内少なくとも何れか一つが省略されることもできる。有機発光層１２１上には上部電極１２５が位置する。上部電極１２５はアノードまたはカソードに選択されることができる。ここで、アノードに選択された上部電極１２５は透明な電極例えば、ＩＴＯ（Ｉｎｄｉｕｍ Ｔｉｎ Ｏｘｉｄｅ）、ＩＺＯ（Ｉｎｄｉｕｍ Ｚｉｎｃ Ｏｘｉｄｅ）、ＩＴＺＯ（Ｉｎｄｉｕｍ Ｔｉｎ Ｚｉｎｃ Ｏｘｉｄｅ）、ＡＺＯ（Ａｌ２Ｏ３ ｄｏｐｅｄ ＺｎＯ）の内いずれか一つに形成されることができるがこれに限定されない。上のような構造に形成されたサブピクセルは下部電極１１８と上部電極１２５の構造によって前面または後面方向に光を発光するようになる。
【００１６】
以下、キャパシティブタイプで構成された感知部（ＴＳＣ）とタッチスクリーンパネル（ＴＰＮＬ）に含まれた電極部の構造に対して説明する。
【００１７】
図４に示されたのように、キャパシティブタイプ感知部（ＴＳＣ）はタッチスクリーンパネル（ＴＰＮＬ）内に位置する電極部（ＴＰＬ、ＴＰＲ）に接続される。感知部（ＴＳＣ）は使用者がタッチスクリーンパネル（ＴＰＮＬ）をタッチすればタッチスクリーンパネル（ＴＰＮＬ）内に位置する電極部（ＴＰＬ、ＴＰＲ）の静電容量変化を認識してタッチされた位置を感知するようになる。このために、感知部（ＴＳＣ）は信号入力部（ＳＷ）、信号増幅部（ＡＭＰ）、信号変換部（ＡＤＣ）及び信号検出部（ＬＵＴ）を含むことができるがこれに限定されない。信号入力部（ＳＷ）はタッチスクリーンパネル（ＴＰＮＬ）内に位置する電極部（ＴＰＬ、ＴＰＲ）に接続された配線（ＴＳ１、ＴＳ２）を通じて信号を伝達し、受ける。信号増幅部（ＡＭＰ）は信号入力部（ＳＷ）に伝達した信号を増幅させる。信号変換部（ＡＤＣ）はアナログに入力された信号をデジタルに変換させる。 信号検出部（ＬＵＴ）はデジタルに変換された信号を利用して使用者がタッチした領域がどこなのか静電容量変化を認識して位置データを検出し、検出された位置データを使うための装置（ＣＤ）に伝達する。
【００１８】
図５及び図６に示されたのように、電極部（ＴＰＬ、ＴＰＲ）は配線（ＴＳ１．．ＴＳ１０）を通じて感知部（ＴＳＣ）に接続される。電極部（ＴＰＬ、ＴＰＲ）はタッチスクリーンパネル（ＴＰＮＬ）の左側から右側方向に配列された第１電極ＴＰＬと右側から左側方向に配列された第２電極（ＴＰＲ）を含むことができる。第１電極ＴＰＬと第２電極 （ＴＰＲ）は同一な層に位置しているが一定間隔離隔された形態を有するようにパターン化されることができる。共に、第１電極ＴＰＬと第２電極（ＴＰＲ）は示されたようにお互いに異なる静電容量を有するように他の面積を有してパターン化されることができる。 図４乃至図６は電極部（ＴＰＬ、ＴＰＲ）の形象に対する理解を助けるためのことであるだけで本発明はここに限定されない。
【００１９】
図７に示されたように、キャパシティブタイプ感知部（ＴＳＣ）はタッチスクリーンパネル（ＴＰＮＬ）内に位置する電極部（ＴＰＹ、ＴＰＸ）に接続される。感知部（ＴＳＣ）は使用者がタッチスクリーンパネル（ＴＰＮＬ）をタッチすればタッチスクリーンパネル（ＴＰＮＬ）内に位置する電極部（ＴＰＹ、ＴＰＸ）の静電容量変化を認識してタッチされた位置を感知するようになる。このために、感知部（ＴＳＣ）は信号入力部（ＳＷ）、 信号増幅部（ＡＭＰ）、信号変換部（ＡＤＣ）及び信号検出部（ＬＵＴ）を含むことができるがこれに限定されない。信号入力部（ＳＷ）はタッチスクリーンパネル（ＴＰＮＬ） 内に位置する電極部（ＴＰＹ、ＴＰＸ）に接続された配線（ＴＳ１、ＴＳ２）を通じて信号を伝達し、受ける。信号増幅部（ＡＭＰ）は信号入力部（ＳＷ）に伝達した信号を増幅させる。信号変換部（ＡＤＣ）はアナログに入力された信号をデジタルに変換させる。信号検出部（ＬＵＴ）はデジタルに変換された信号を利用して使用者がタッチした領域がどこなのか静電容量変化を認識して位置データを検出して、検出された位置データを使うための装置（ＣＤ）に伝達する。
【００２０】
図８及び図９に示されたのように、電極部（ＴＰＹ、ＴＰＸ）は配線（ＴＳ１．．ＴＳ８）を通じて感知部（ＴＳＣ）に接続される。電極部（ＴＰＹ、ＴＰＸ）はタッチスクリーンパネル（ＴＰＮＬ）のＹ軸方向に配列された第１電極（ＴＰＹ）とＸ軸方向に配列された第２電極（ＴＰＸ）を含むことができる。第１電極（ＴＰＹ）と第２電極（ＴＰＸ）は他の層に位置するように絶縁層を間に置いてパターン化されることができる。図９のように菱形に形成された電極部（ＴＰＹ、ＴＰＸ）の場合、同一な層に位置する電極の間の電気的連結のためにジャンパー電極（ＪＰ）が使われることもできる。ここで、ジャンパー電極（ＪＰ）は他の層を通じて電極の間の電気的な連結を助ける。図７ないし図９は電極部（ＴＰＹ、ＴＰＸ）の形象に対する理解を助けるためのことであるだけで本発明はここに限定されない。
【００２１】
以下、本発明の第１実施形態に係るキャパシティブタイプのタッチスクリーンパネルを有する有機電界発光表示装置の構造に対して説明する。
【００２２】
図１０乃至図１２に示されたのように、第１実施形態に係るタッチスクリーンパネル一体型有機電界発光表示装置はパネル１１０、シールド電極１４０、タッチスクリーンパネル１５０、偏光板１６０、粘着剤１７０、カバーウィンドウ１８０、第１印刷回路基板１３１及び第２印刷回路基板１３５を含む。
【００２３】
図１０はパネル１１０に形成されたサブピクセル（ＳＰ）が前面方向に光を発光してタッチスクリーンパネル１５０に形成された電極部が単一層構造を有することを一例とする。図１０の場合、パネル１１０は第１基板１１０ａの一面に位置するサブピクセル（ＳＰ）と第１基板１１０ａと合着密封された第２基板１１０ｂを含む。シールド電極１４０はサブピクセル（ＳＰ）と見合わせない面である第２基板１１０ｂの他面に形成されて低電位電圧源に接続される。低電位電圧源はパネル１１０に供給されるグラウンド電圧（ＧＮＤ）に選択されることができる。タッチスクリーンパネル１５０はシールド電極１４０ 上に形成される。タッチスクリーンパネル１５０はシールド電極１４０と分離をするための絶縁層１５１と電極部１５３を含む。電極部１５３は前に説明した図５及び図６のように単一層構造に配置される。ここで、シールド電極１４０及びタッチスクリーンパネル１５０は蒸着によって第２基板１１０ｂの他面に形成される。偏光板１６０はタッチスクリーンパネル１５０上に附着する。カバーウィンドウ１８０は粘着剤１７０によって偏光板１６０と合着される。粘着剤１７０は偏光板１６０とカバーウィンドウ１８０の間に空気層（ＡＧ）が位置するように外郭を取り囲む閉曲線形態に形成されることができるがこれに限定されない。第１印刷回路基板１３１は第１基板１１０ａの一面に形成されたパッドに附着してサブピクセル（ＳＰ）を駆動する駆動信号を駆動装置(例えば、タイミングコントローラ)から伝達する。第２印刷回路基板１３５は第２基板１１０ｂの他面に形成されたパッドに附着してタッチスクリーンパネル１５０から生成された感知信号を外部装置(例えば、感知部)に伝達する。
【００２４】
図１１はパネル１１０に形成されたサブピクセル（ＳＰ）が前面方向に光を発光してタッチスクリーンパネル１５０に形成された電極部が多重層構造を有することを一例とする。図１１の場合、タッチスクリーンパネル１５０は絶縁層（１５１、１５５）及び電極部１５３、１５７を含む。第１絶縁層１５１はシールド電極１４０と第１電極１５３の間の分離のための絶縁層であり、第２絶縁層１５５は第１電極１５３と第２電極１５７の間の分離のための絶縁層である。電極部１５３、１５７は前に説明した図８及び図９のように多重層構造に配置される。パネル１１０、シールド電極１４０、偏光板１６０及びカバーウィンドウ１８０は前に説明した図１０の構造と同一に形成されることができる。
【００２５】
図１２はパネル１１０に形成されたサブピクセル（ＳＰ）が前面方向に光を発光してタッチスクリーンパネル１５０に形成された電極部が多重層構造を有することを一例とする。図１２の場合、シールド電極１４０はパネル１１０の内部すなわちサブピクセル（ＳＰ）と見合わせる面である第２基板１１０ｂの一面に形成されて低電位電圧源に接続される。パネル１１０、シールド電極１４０、タッチスクリーンパネル１５０、偏光板１６０及びカバーウィンドウ１８０は前に説明した図１１の構造と同一に形成されることができる。ただ、図示されていないがタッチスクリーンパネル１５０に含まれた第１絶縁層１５１が省略された状態で第１電極１５３、第２絶縁層１５５及び第２電極１５７の順で第２基板１１０ｂの他面に形成されることもできる。
【００２６】
図１０乃至図１２に示されたように、第１基板１１０ａは第１印刷回路基板１３１が附着した方向に拡張された第１パッド領域（ＰＡ１）を含み第２基板１１０ｂは第２印刷回路基板１３５が附着した方向に拡張された第２パッド領域（ＰＡ２）を含む。ここで、第１パッド領域（ＰＡ１）と第２パッド領域（ＰＡ２）はそれぞれ一側と他側に位置する。第１実施形態は第１基板１１０ａの第１パッド領域（ＰＡ１）から第１印刷回路基板１３１を引き出し、第２基板１１０ｂの第２パッド領域（ＰＡ２）から第２印刷回路基板１３５を引き出すように構成されたモジュール化構造を提供する。
【００２７】
<第２実施形態>
【００２８】
図１３及び図１４に示されたように、第２実施形態に係るタッチスクリーンパネル一体型有機電界発光表示装置はパネル２１０、シールド電極２４０、タッチスクリーンパネル２５０、偏光板２６０、粘着剤２７０、カバーウィンドウ２８０、第１印刷回路基板２３１及び第２印刷回路基板２３５を含む。
【００２９】
図１３はパネル２１０に形成されたサブピクセル（ＳＰ）が背面方向に光を発光してタッチスクリーンパネル２５０に形成された電極部が単一層構造を有することを一例とする。図１３の場合、シールド電極２４０は第１基板２１０ａの他面に形成されて低電位電圧源に接続される。低電位電圧源はパネル２１０に供給されるグラウンド電圧（ＧＮＤ）に選択されることができる。タッチスクリーンパネル２５０はシールド電極２４０上に形成される。タッチスクリーンパネル２５０は絶縁層２５１及び電極部２５３を含む。絶縁層２５１はシールド電極２４０と電極部２５３の間の分離のための絶縁層である。電極部２５３は前に説明した図５及び図６のように単一層構造に配置される。ここで、シールド電極２４０及びタッチスクリーンパネル２５０は蒸着によって第１基板２１０ａの他面に形成される。偏光板２６０はタッチスクリーンパネル２５０上に附着する。カバーウィンドウ２８０は粘着剤２７０によって偏光板２６０と合着される。粘着剤２７０は偏光板２６０とカバーウィンドウ２８０の間に空気層（ＡＧ）が位置するように外郭を取り囲む閉曲線形態に形成されることができるがこれに限定されない。第１印刷回路基板２３１は第１基板２１０ａの一面に形成されたパッドに附着してサブピクセル（ＳＰ）を駆動する駆動信号を駆動装置(例えば、タイミングコントローラ)から伝達する。第２印刷回路基板２３５は第１基板２１０ａの他面に形成されたパッドに附着してタッチスクリーンパネル２５０から生成された感知信号を外部装置(例えば、感知部)に伝達する。
【００３０】
図１４はパネル２１０に形成されたサブピクセル（ＳＰ）が背面方向に光を発光してタッチスクリーンパネル２５０に形成された電極部が多重層構造を有することを一例とする。図１４の場合、タッチスクリーンパネル２５０は絶縁層２５１、２５５及び電極部２５３、２５７を含む。第１絶縁層２５１はシールド電極２４０と第1電極２５３の間の分離のための絶縁層であり、第２絶縁層２５５は第１電極２５３と第２電極２５７の間の分離のための絶縁層である。電極部２５３、２５７は前に説明した図８及び図９のように多重層構造に配置される。パネル２１０、シールド電極２４０、偏光板２６０及びカバーウィンドウ２８０は前に説明した図１３の構造と同一に形成されることができる。
【００３１】
図１３及び図１４に示されたように、第１基板２１０ａは第１印刷回路基板２３１及び第２印刷回路基板２３５が附着した方向に拡張された第１パッド領域（ＰＡ１）を含む。第１基板２１０ａは第１パッド領域（ＰＡ１）が含まれた分第２基板２１０ｂの長さより長い。第２実施形態は第１基板２１０ａの一面と他面に位置する第１パッド領域（ＰＡ１）から第１印刷回路基板２３１及び第２印刷回路基板２３５をそれぞれ引き出すように構成されたモジュール化構造を提供する。
【００３２】
<第３実施形態>
【００３３】
図１５及び図１６に示されたように、第３実施形態に係るタッチスクリーンパネル一体型有機電界発光表示装置はパネル３１０、シールド電極３４０、タッチスクリーンパネル３５０、偏光板３６０、粘着剤３７０、カバーウィンドウ３８０、第１印刷回路基板３３１及び第２印刷回路基板３３５を含む。
【００３４】
図１５はパネル３１０に形成されたサブピクセル（ＳＰ）が背面方向に光を発光してタッチスクリーンパネル３５０に形成された電極部が単一層構造を有することを一例とする。図１５の場合、シールド電極３４０は第１基板３１０ａの他面に形成されて低電位電圧源に接続される。低電位電圧源はパネル３１０に供給されるグラウンド電圧（ＧＮＤ）に選択されることができる。タッチスクリーンパネル３５０はシールド電極３４０上に形成される。タッチスクリーンパネル３５０は絶縁３５１及び電極部３５３を含む。絶縁層３５１はシールド電極３４０と電極部３５３の間の分離のための絶縁層である。電極部３５３は前に説明した図５及び図６のように単一層構造に配置される。偏光板３６０はタッチスクリーンパネル３５０上に附着する。ここで、シールド電極３４０及びタッチスクリーンパネル３５０は蒸着によって第１基板３１０ａの他面に形成される。カバーウィンドウ３８０は粘着剤３７０によって偏光板３６０と合着される。粘着剤３７０は偏光板３６０とカバーウィンドウ３８０の間に空気層（ＡＧ）が位置するように外郭を取り囲む閉曲線形態に形成されることができるがこれに限定されない。第１印刷回路基板３３１は第１基板３１０ａの一面に形成されたパッドに附着してサブピクセル（ＳＰ）を駆動する駆動信号を駆動装置(例えば、タイミングコントローラ)から伝達する。第２印刷回路基板３３５は第１基板２１０ｂの他面に形成されたパッドに附着してタッチスクリーンパネル３５０から生成された感知信号を外部装置(例えば、感知部)に伝達する。
【００３５】
図１６はパネル３１０に形成されたサブピクセル（ＳＰ）が背面方向に光を発光してタッチスクリーンパネル３５０に形成された電極部が多重層構造を有することを一例とする。図１６の場合、タッチスクリーンパネル３５０は絶縁層３５１、３５５及び電極部３５３、３５７を含む。第１絶縁層３５１はシールド電極３４０と第１電極３５３の間の分離のための絶縁層であり、第２絶縁層３５５は第１電極３５３と第２電極３５７の間の分離のための絶縁層である。電極部３５３、３５７は前に説明した図８及び図９のように多重層構造に配置される。パネル３１０、シールド電極３４０、偏光板３６０及びカバーウィンドウ３８０は前に説明した図１５の構造と同一に形成されることができる。
【００３６】
図１５及び図１６に示されたように、第１基板３１０ａは第１印刷回路基板３３１が附着した方向に拡張された第１パッド領域（ＰＡ１）と第２印刷回路基板３３５が附着した方向に拡張された第２パッド領域（ＰＡ１１）を含み、第１パッド領域（ＰＡ１）と第２パッド領域（ＰＡ１１）はそれぞれ一側と他側に位置する。第１基板３１０ａは第１パッド領域（ＰＡ１）及び第２パッド領域（ＰＡ１１）が含まれた分第２基板３１０ｂの長さより長い。第３実施形態は第１基板３１０ａの一面と他面に位置する第１パッド領域（ＰＡ１）と第２パッド領域（ＰＡ１１）から第１印刷回路基板２３１と第２印刷回路基板２３５をそれぞれ引き出すように構成されたモジュール化構造を提供する。
【００３７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００３８】
本発明は、外部または内部ノイズに強い抵抗力を有するタッチスクリーンパネル一体型有機電界発光表示装置を具現することと共にこれを多様なアプリケーションに切り継ぎするようにモジュール化することできる。
【符号の説明】
【００３９】
１１０ａ      第１基板
１１１        ゲート
１１２        第１絶縁膜
１１３ａ      アクティブ層
１１３ｂ      オミックコンタクト層
１１４ａ      ソース
１１４ｂ      ドレーン
１１５        第２絶縁膜
１１６        シールド金属
１１７        第３絶縁膜
１１８        下部電極
１２０        バンク層
１２１        有機発光層
１２１ａ      電子注入層
１２１ｂ      電子輸送層
１２１ｃ      発光層
１２１ｄ      正孔輸送層
１２１ｅ      正孔注入層
１２５        上部電極
１３１        第１印刷回路基板
１３５        第２印刷回路基板
２１０        パネル
２１０ａ      第１基板
２１０ｂ      第２基板
２３１        第１印刷回路基板
２３５        第２印刷回路基板
２４０        シールド電極 
２５０        タッチスクリーンパネル
２５１        絶縁層
２５３        電極部
２５５        第２絶縁層
２５７        第２電極
２６０        偏光板 
２７０        粘着剤 
２８０        カバーウィンドウ
３１０        パネル
３１０ａ       第１基板
３１０ｂ       第２基板
３３１         第１印刷回路基板
３３５        第２印刷回路基板
３４０        シールド電極
３５０        タッチスクリーンパネル
３５１、３５５  絶縁層
３５３、３５７  電極部
３６０          偏光板
３７０          粘着剤
３８０          カバーウィンドウ
【図１】
2010282171.tif 000003
【図２】
2010282171.tif 000004
【図３】
2010282171.tif 000005
【図４】
2010282171.tif 000006
【図５】
2010282171.tif 000007
【図６】
2010282171.tif 000008
【図７】
2010282171.tif 000009
【図８】
2010282171.tif 000010
【図９】
2010282171.tif 000011
【図１０】
2010282171.tif 000012
【図１１】
2010282171.tif 000013
【図１２】
2010282171.tif 000014
【図１３】
2010282171.tif 000015
【図１４】
2010282171.tif 000016
【図１５】
2010282171.tif 000017
【図１６】
2010282171.tif 000018